(57)【要約】【課題】大きな振幅運動であっても、滑らかな昇降動作を繰り返すことから安全に使用でき、コンパクト化された使い勝手に優れた振動健康機器を提供する。【解決手段】足載せ台は、その左右方向の略中央に配置されるとともに前後方向に略水平にのびる支持軸によって、左右端側が上下する揺動自在に基台に枢支され、駆動手段は、前記支持軸に対して左右の何れかの側に偏位して配された上下運動部と、この上下運動部を動かす駆動器とを具え、駆動器によって回動する回転軸の偏芯部が、連接棒を介して足載せ台を上下移動させることにより、足載せ台は支持軸を中心として左右が交互に昇降するシーソー振動を繰り返すことを特徴とする。【選択図】図１
2008029712.tif 000002
【特許請求の範囲】
【請求項１】
基台と、この基台に揺動動可能に支持された足載せ台と、基台に設けられ前記足載せ台を上下動させる駆動手段とからなり、足載せ台の上下動により、左右の足を足載せ台に載る使用者を健康増進する振動健康機器であって、
前記足載せ台は、その左右方向の略中央に配置されるとともに前後方向に略水平にのびる支持軸によって、左右端側が上下する揺動自在に基台に枢支され、
前記駆動手段は、前記支持軸に対して左右の何れかの側に偏位して配された上下運動部と、この上下運動部を動かす駆動器とを具え、
前記上下運動部は、少なくとも一部に縦断面が円形をなすとともに回転中心に対して偏位した偏芯部を有し、かつ基台に回動可能に取付けられた回転軸と、前記偏芯部に対して回転可能に外挿するとともに、上部が前記回転軸の回転中心の上方において足載せ台に枢着される連接棒とを具え、
前記駆動器によって回動する回転軸の偏芯部が、連接棒を介して足載せ台を上下移動させることにより、足載せ台は支持軸を中心として左右が交互に昇降するシーソー振動を繰り返すことを特徴とする振動健康機器。
【請求項２】
前記回転軸は、前記支持軸と平行にのびてその両端部が基台に枢支され、
前記偏芯部、及びこれ外挿する連接棒は、回転軸の両端近傍に一対が設けられることを特徴とする請求項１記載の振動健康機器。
【請求項３】
前記連接棒は、前記偏芯部に外挿するリング状の軸受けと、上部に水平な小端孔を有するとともに前記軸受けを収容する軸受けハウジングと具え、
前記足載せ台は、その下部に略水平な受け軸を有し、この受け軸が前記小端孔に回動可能に挿通することを特徴とする請求項１又は２記載の振動健康機器。
【請求項４】
前記軸受けハウジングは、大リング状のハウジング本体と、このハウジング本体の上部に連続して設けた小リング部とが一体に形成され、
前記軸受けは、ハウジング本体の内部に収容されるとともに、前記小端孔は、小リング部によって形成されることを特徴とする請求項３記載の振動健康機器。
【請求項５】
前記軸受けハウジングは、縦に二分割して形成された第１、第２の軸受けハウジング部材によって形成され、
前記第１、第２の軸受けハウジング部材は、各々環状部と、この環状部の外周縁から内側に向って一定の小巾で一体にのびた鍔部とを有し、
前記第１、第２の軸受けハウジング部材は、各々の鍔部を外側に配して固着一体化することにより、内部に軸受けを収容できることを特徴とする請求項３又は４記載の振動健康機器。
【請求項６】
前記駆動器は、電気モータが用いられ、
しかもこの電気モータは、足載せ台の左右方向の略中央に配置されることを特徴とする請求項１〜５のいずれかに記載の振動健康機器。
【発明の詳細な説明】
【技術分野】
【０００１】
本発明は、両足を足載せ台に載せて使用する使用者に対して高速振動を加えることにより、足裏に対する刺激のみならず体全体に適度な運動効果を生じさせ、その結果シェイプアップ、筋肉強化、及び疲労回復などの有効な全身効果を奏することのできる振動健康機器に関する。
【背景技術】
【０００２】
加振装置を用いて足を載せる足載せ台を、０．５〜３．０ｍｍ程度の振幅、４５０〜１７００ｒｐｍ程度の速度で、高速微振動させる足裏マッサージ器は、各種タイプの機器が提供されている。これら足裏マッサージ器は、抹消神経と動脈の毛細血管が集中することから多くのツボが点在する足裏を刺激することにより、疲労回復と全身諸器官の機能を活性化でき、しかも手軽に使用できることから広く普及している。
【０００３】
本出願人は図８に示す如く、基台ａに対し、図面上左側に設置した枢支軸ｂによって回動可能に支持された足載せ台ｄの右側を、駆動昇降装置ｅによって支持するとともに、足載せ台ｄが下方位置から上方位置に上昇するに従い、強さを増大する昇降手段（図示せず）を設けることにより、足裏のツボを有効に刺激してマッサージ効果を高めうるマッサージ器を提案している（例えば、特許文献１参照）。
【０００４】
【特許文献１】特開２００５−２１８５６８号公報
【発明の開示】
【発明が解決しようとする課題】
【０００５】
本出願人は、研究、試験を重ねた結果、前記足裏マッサージ器の小振幅とは違って、６．０〜２４．０ｍｍ程度の大きな振幅で足載せ台を振動させると、従来のマッサージ器では得られない、次のような優れた効能が得られることを発見した。即ち使用者の全身が、激しく上下動することから、脚部だけでなく上半身を含めた全身に刺激が加えられ、エネルギー消費が増加してシェイプアップ効果が得られるとともに、新陳代謝を促進して全身が活性化される。同時に筋肉が有効に刺激を受けることから筋力を向上できる。
【０００６】
しかしながら、図８に示すマッサージ器の構造を用いて６．０ｍｍを超えるような大きな振幅を設定すると、図面上左側の枢支軸ｂによって支持された足載せ台ｄの右側が高速度で大きく昇降することから大きな慣性力が繰り返し作用する。その結果床面に載置された基台ａを含む装置全体に、上下のガタツキが発生して、大きな騒音が生まれるとともに、マッサージ器が床面上で振動しながら位置ズレする現象が生じて、足載せ台ｄ上の使用者が転倒するなどの危険を伴なう。
【０００７】
また、片側で枢支された足載せ台ｄに使用者の体重が載った状態において、６．０ｍｍを超える振幅の高速振動運動を発生するためには、相当大きな馬力の駆動器を使用する必要があり、機器が大型化するとともに運転時の騒音も大きくなる。或いは動作機構に大きな負荷が作用することから、故障予防のため頻繁なメンテナンスが必要となる。
【０００８】
本発明は、駆動器によって回動する回転軸の偏芯部が、連接棒を介して足載せ台を上下移動させることにより、足載せ台が支持軸を中心として左右が交互に昇降するシーソー振動を繰り返すことを基本とし、大きな振幅運動であっても、滑らかな昇降動作を繰り返すことから安全に使用でき、コンパクト化された使い勝手に優れた振動健康機器の提供を課題としている。
【課題を解決するための手段】
【０００９】
前記目的を達成するために、請求項１に係る発明では、基台と、この基台に揺動動可能に支持された足載せ台と、基台に設けられ前記足載せ台を上下動させる駆動手段とからなり、足載せ台の上下動により、左右の足を足載せ台に載る使用者を健康増進する振動健康機器であって、前記足載せ台は、その左右方向の略中央に配置されるとともに前後方向に略水平にのびる支持軸によって、左右端側が上下する揺動自在に基台に枢支され、前記駆動手段は、前記支持軸に対して左右の何れかの側に偏位して配された上下運動部と、この上下運動部を動かす駆動器とを具え、前記上下運動部は、少なくとも一部に縦断面が円形をなすとともに回転中心に対して偏位した偏芯部を有し、かつ基台に回動可能に取付けられた回転軸と、前記偏芯部に対して回転可能に外挿するとともに、上部が前記回転軸の回転中心の上方において足載せ台に枢着される連接棒とを具え、前記駆動器によって回動する回転軸の偏芯部が、連接棒を介して足載せ台を上下移動させることにより、足載せ台は支持軸を中心として左右が交互に昇降するシーソー振動を繰り返すことを特徴とする。
【００１０】
請求項２に係る発明において、前記回転軸は、前記支持軸と平行にのびてその両端部が基台に枢支され、前記偏芯部、及びこれ外挿する連接棒は、回転軸の両端近傍に一対が設けられることを特徴とする。
【００１１】
請求項３に係る発明において、前記連接棒は、前記偏芯部に外挿するリング状の軸受けと、上部に水平な小端孔を有するとともに前記軸受けを収容する軸受けハウジングと具え、前記足載せ台は、その下部に略水平な受け軸を有し、この受け軸が前記小端孔に回動可能に挿通し、請求項４に係る発明では、前記軸受けハウジングは、大リング状のハウジング本体と、このハウジング本体の上部に連続して設けた小リング部とが一体に形成され、前記軸受けは、ハウジング本体の内部に収容されるとともに、前記小端孔は、小リング部によって形成されることを特徴とする。
【００１２】
請求項５に係る発明において、前記軸受けハウジングは、縦に二分割して形成された第１、第２の軸受けハウジング部材によって形成され、前記第１、第２の軸受けハウジング部材は、各々環状部と、この環状部の外周縁から内側に向って一定の小巾で一体にのびた鍔部とを有し、前記第１、第２の軸受けハウジング部材は、各々の鍔部を外側に配して固着一体化することにより、内部に軸受けを収容でき、請求項６に係る発明では、前記駆動器は、電気モータが用いられ、しかもこの電気モータは、足載せ台の左右方向の略中央に配置されることを特徴とする。
【発明の効果】
【００１３】
請求項１に係る発明においては、足載せ台は、左右方向の略中央に配置されとともに前後方向に略水平にのびる支持軸によって枢支されて、シーソー状に左右側が上下動するように構成することから、足載せ台に左右の足を載せる使用者の体重は、支持軸を跨いで左右に振り分けられて支持される。また足載せ台のシーソー状の揺動運動においては、片側が上昇する時は反対側が降下することによって左右の負荷がバランスすることから、上下方向の慣性力が相殺されて、装置全体として上下のガタツキ、振動が抑制される。その結果、高速運動時にも比較的騒音が抑制され、足載せ台がシーソー状の昇降運動を滑らかに繰り返すため、６．０ｍｍを超えるような大きな振幅運動においても、足載せ台の上の使用者は、安全に健康増進の全身運動ができる。
【００１４】
また前記の如く、略中央の支持軸に枢支された足載せ台に載る使用者の体重は、支持軸を挟んで左右でバランスするとともに、片側の上昇時の負荷は、反対側の荷重によって相殺されるため、駆動手段は小さな力でシーソー状の振動運動を駆動できる。従って、高速サイクルで６．０ｍｍを超える振幅の運動を駆動する場合でも、比較的小さな馬力の駆動器を用いることができることから、装置全体をコンパクトに構成できるとともに、静寂な運転音となる。更には運動機構の負荷が小さくなるため、トラブルが減少するとともにメンテナンスが簡単となる。
【００１５】
請求項２に係る発明のように、回転軸を、前記支持軸と平行に配してその両端部を基台に枢支するとともに、前記偏芯部、及びこれ外挿する連接棒を、回転軸の両端近傍に一対設けると、足載せ台を安定して支持駆動できることから、駆動手段による足載せ台の上下運動を滑らかに動作させることができる。
【００１６】
請求項３に係る発明のように、回転軸の偏芯部に外挿するリング状の軸受けと、上部に上部に水平な小端孔を有するとともに前記軸受けを収容する軸受けハウジングとで連接棒を構成すると、軸受けの組立、及びメンテナンスを簡単に行なえる。また足載せ台の下部に設けた略水平な受け軸を、連接棒の小端孔に回動可能に挿通することにより、連接棒上部を足載せ台に取付けると、足載せ台を安定して支持できる。
【００１７】
請求項４に係る発明のように、大リング状のハウジング本体と、このハウジング本体の上部に連続して設けた小リング部とを一体に形成した軸受けハウジングを構成すると、大きな負荷がかかっても破損することがない堅牢な連接棒を形成できる。
【００１８】
請求項５に係る発明のように、縦に二分割して形成した第１、第２の軸受けハウジング部材によって軸受けハウジングを構成すると、内部に軸受けを収容する軸受けハウジングを分解可能に構成できて、軸受けのメンテナンスを容易に行なえる。また環状部と、この環状部の外側縁から中心に向って一定巾で一体にのびた鍔部とからなる第１、第２の軸受けハウジング部材を、各々の鍔部を外側に配して固着一体化することにより軸受けハウジングを組立形成すると、鍔部間に挟着する状態で軸受けを安定して収容できる。
【００１９】
請求項６に係る発明のように、駆動器として用いる電気モータを、足載せ台の左右方向の略中央に配置すると、電気モータの重量が振動健康機器の略中央部に掛かるため機器を安定して設置できる。
【発明を実施するための最良の形態】
【００２０】
以下、本発明の実施の一形態を、図示例とともに説明する。図１、２に示すように、振動健康機器１は、基台２と、基台２の上に設けた足載せ台３と、この足載せ台３を上下動させる駆動手段４とからなる。そして、足載せ台３の上下動により、足載せ台３に左右の足を載せる使用者の全身に振動を与えることにより健康増進することができる機器である。
【００２１】
前記基台２は図２、４に示すように、床などの載置面２１に載置される略矩形平板状の下板２２と、この下板２２の上に、ラッパ状の４個の下ゴム足２３を介して支持される略卵形状の基板２４と、この基板２４の上に支持される基枠２６とを含み構成される。
【００２２】
前記下板２２、及び基板２４は、厚さ１．２〜２．３ｍｍ程度の炭素鋼、ステンレス鋼、合金鋼を含む鉄鋼材料、或いはアルミニウム、真鍮、銅などの金属材料が用いられる。或いは純アルミに銅、マンガン、ケイ素、マグネシウムなどを添加したアルミニウム合金、純マグネシウムにアルミニウム、亜鉛、けい素、マンガンなど添加したマグネシウム合金、チタン合金などの軽量合金を用いると、軽く取扱い性が向上するうえ、高強度で耐久性に優れる点で好ましい。
【００２３】
前記基枠２６は、前後に平行に隔設され、各々の下フランジを内側に配置された断面Ｌ字状の横枠体２６Ａ、２６Ａと、この横枠体２６Ａ、２６Ａの下フランジ２６Ａ１相互をつないで前後にのびる一対の継ぎ片２６Ｂ、２６Ｂと、前記横枠体２６Ａの縦フランジ２６Ａ２の両端部が外向きに折れ曲がって水平にのびた翼片２６Ｃとによって構成される。さらに縦フランジ２６Ａ２、２６Ａ２の左右方向の真中位置に、各々前後方向に向き合う中央の軸受けユニット３０、３０が取付けられる。そして各中央の軸受けユニット３０、３０に、支持軸５の前後端部が軸受けされ、これにより支持軸５が基枠２６に軸支される。また縦フランジ２６Ａ２、２６Ａ２の右端寄り位置に、端の軸受けユニット３１、３１が取付けられる。本形態の各軸受けユニット３０、３１は、ボールベアリング軸受けユニットを用いているが、ブッシュ軸受けユニットを用いることもできる。なお本明細書において、振動健康機器１の前方は足載せ台３に載る使用者が向く方向を指し、左右とは前記前方に向かって左右の方向を指すものとする。
【００２４】
前記基枠２６は図２、３に示すように、前記基板２４上に固定された短円柱状の上ゴム足２５が、前記翼片２６Ｃを支持することによって、基板２４の上方に少し浮いた高さで取付けられる。従って、基枠２６は、前記下ゴム足２３及び上ゴム足２５によって、二重に緩衝して支持される。
【００２５】
前記足載せ台３は、使用者の足を直接受ける載せ板２７と、この載せ板２７を補強するため下部に固着された一対の補強アングル２８とからなる。載せ板２７は、全周縁に短い垂下片が形成された逆盆状をなし、ポリエチレン樹脂、ポリプロピレン樹脂、エチレン酢ビ樹脂（ＥＶＡ）を含むオレフィン系樹脂、ポリスチレン樹脂、フェノール樹脂、不飽和ポリエステル樹脂などのプラスチック材料を用いて一体成形され、或いは鋼板などの金属製芯材の上にクロロプレンゴムＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材を被覆して形成される。
【００２６】
前記補強アングル２８は、足載せ台３の下面に沿って前後に向き合い平行に配置され、足載せ台３に固着される横板部２８Ａと、この横板部２８Ａの前後縁部から下方に折れ曲がる縦板部２８Ｂ、２８Ｂとからなる。また前記縦板部２８Ｂには図２に示すように、中央部に滑らかな湾曲形状で垂下した取付部２９が形成される。また図３に示すように、前記向き合う縦板部２８Ｂ、２８Ｂの右端部に間に、水平な受け軸１３が架け渡される。前記横板部２８Ａは図３に示すように、載せ板２７とボルトナットによって一体に固着される。
【００２７】
図２、４に示すように、前記補強アングル２８の取付部２９、２９には、各々前後に向けて水平にのびる支持軸５、５が一体に突設される。そしてこの各支持軸５の先端部は、前記軸受けユニット３０に軸支される。このように構成しているため足載せ台３は、その左右方向の中央が前記支持軸５によって枢支され、左右両端が交互に上下に揺動自在に構成される。
【００２８】
前記駆動手段４は図４に示すように、上下運動部６と、この上下運動部６を動かす駆動器７とを具える。上下運動部６は、前記中央に配された支持軸５に対して左右何れかに偏位して配置されるとともに、回転軸９、及び連接棒１０を含み構成される。なお本形態の上下運動部６は、右側に偏位して配置される。
【００２９】
前記回転軸９は図３、６に示すように、中間部分に偏芯部８が形成され、そして前後方向を向くとともに、その両端が前記端の軸受けユニット３１、３１によって水平に軸支され、その間には従動側プーリ３７が設けられる。
【００３０】
前記偏芯部８は、縦断面円形をなすとともに他の部分よりも軸径が大きく形成され、しかも本形態では回転軸９の前後に一対が形成される。偏芯部８は、回転軸９の回転中心に対して、例えば、３．０〜１２．０ｍｍ程度、好ましくは４．５〜９ｍｍ、本形態では６．０ｍｍ偏位して形成される。偏位寸法が３．０ｍｍ未満では、足載せ台３の振幅Ｓが６．０ｍｍ未満になり、上に載る使用者に与える振動が過小となるため、ボディシェイプなど健康増進効果が不足する。逆に１２．０ｍｍを超えると、２４．０ｍｍをオーバーする振幅Ｓを生じるため、健康増進のためには過剰に激しい振動が発生するとともに大きな振動音を発生するなど環境を損ねる。
【００３１】
前記連接棒１０は、下部が前記回転軸９の偏芯部８に回転可能に外挿し、上部がこの回転軸９の回転中心の上方で前記足載せ台３の下部に枢着する。本形態では図６に示すように、前記回転軸９の偏芯部８に外挿するリング状の軸受け１１と、この軸受け１１を収容するとともに上部に水平な小端孔１２を有する軸受けハウジングＨとからなる連接棒１０が例示される。このように構成した本形態の連接棒１０では、内部に軸受け１１を収容して組立を簡単に行なうことができるとともに、トラブル発生時には軸受け１１を取り外してメンテナンスを簡単に行なうことができる。
【００３２】
また本形態では図５、６に示すように、前記小端孔１２に、足載せ台３下部に設け受け軸１３を回動可能に挿通することによって、連接棒１０の上部を足載せ台３に取付けることから、連接棒１０によって足載せ台３を安定して支持することができる。
【００３３】
本形態の軸受け１１は、外輪１１Ａ、内輪１１Ｂ、及びこの両輪の間に複数個が環状に配置された玉１１Ｄとからなる玉軸受けを用いている。前記内輪１１Ｂが前記偏芯部８に外嵌することによって、連接棒１０を偏芯部８に外挿している。この他ころ軸受け、滑り軸受けなどの軸受け１１を用いることもできる。
【００３４】
本形態の軸受けハウジングＨは、内部に前記軸受け１１を収容する大きなリング状のハウジング本体１４と、このハウジング本体１４の上部に連続した小リング部１５とが一体に形成され、この小リング部１５によって、前記小端孔１２が構成される。そして図５、６に示すように、前記足載せ台３の受け軸１３が、小リング部１５に挿通し、回転軸９と足載せ台３とを連結している。このように本形態の軸受けハウジングＨは、ハウジング本体１４と小リング部１５とを一体化して堅牢に形成されることから、例え大きな負荷が掛かったとしても、変形、破損などを生じる可能性が小さい、信頼性に優れた連接棒１０が得られる点で好ましい。
【００３５】
前記の如く前後に一対が設けられた偏芯部８に対応して、図３、４に示すように、回転軸９の両端近傍で、前後に並んで一対の連接棒１０が配置される。このように偏芯部８及びこれに外挿する連接棒１０を、基台２に枢支された回転軸９の両端近傍に各々設けると、中央部を支持軸５によって枢支された足載せ台３を、安定して支持できることから、足載せ台３を滑らかに揺動運動させることができる。
【００３６】
図６に示すように本形態の軸受けハウジングＨは、縦に二分割して形成された第１、第２の軸受けハウジング部材Ｈ１、Ｈ２を用いて形成される。この第１、第２の軸受けハウジング部材Ｈ１、Ｈ２は、各々に大径の環状部１６と、この環状部１６の上位に一体に形成された小輪部３４とを有し、互いが略対称形をなしている。前記環状部１６は、さらにその外周縁から内側に向かって一定の小巾で一体にのびる鍔部１７が形成される。このように構成された第１、第２の軸受けハウジング部材Ｈ１、Ｈ２を、互いの鍔部１７を外側に配して固着具４１を用いて固着一体化することにより内部に円形の空所が形成され、この空所に前記軸受け１１を隙間なく収容できる。
【００３７】
このように、縦に分割した第１、第２の軸受けハウジング部材Ｈ１、Ｈ２を組み立てることにより、内部に軸受け１１を収容する空所を形成する軸受けハウジングＨを採用すると、組立て、分解が自在であることから、軸受け１１のメンテナンスを容易に行なえる。また本形態では、第１、第２の軸受けハウジング部材Ｈ１、Ｈ２の各々の鍔部１７を外側に配して軸受けハウジングＨを組立てるように構成されることから、軸受け１１は、鍔部１７間に挟着された安定した状態で内部に収容される。
【００３８】
前記駆動器７は本形態では、電気モータＭを用いている。図４に示すように電気モータＭは、そのモータ軸３５が、前後に向くとともに前記支持軸５と揃い左右方向の中央に配置され、前記基枠２６上に固着されている。このように電気モータＭを足載せ台３の左右略中央部に配置することから、電気モータＭの重量が振動健康機器１の中央部に掛かることになり、そのため激しく振動する機器と安定して設置することができる点で好ましい。
【００３９】
電気モータＭとしては、交流モータ、インダクションモータ、直流モータ、ブラシレスモータなどを用いることができる。本形態では、家庭用１００ボルト電源で動作する交流モータを使用し、回転を制御回路（図示せず）によってコントロールしている。前記制御回路によって、モータのオン・オフ、回転数などをコントロールしている。又マイコンを用いて、プログラム条件に従って回転数を漸増・漸減させ、或いは負荷などの変化を検知するセンサからの信号を受けて回転をコントロールすることもできる。なおこれらの制御回路は図１に示すように、使用者が基台２の前部に立設する支柱３９の上端に設けたコントロールボックス４０に入力することによって操作できる。
【００４０】
前記モータ軸３５には、駆動側プーリ３６が取り付けられるとともに、前記回転軸９の従動側プーリ３７との間に駆動伝達用のベルト３８が巻回され、従って回転軸９は、電気モータＭに駆動されて回転する。そのため前記偏芯部８の膨出部が回転軸９の軸芯周りを回動すると、偏芯部８に外挿した軸受け１１を含む連接棒１０は、その動きに追従して昇降し、この連接棒１０に右側を支持された足載せ台３は、左右の中央を枢支する支持軸５を中心にし、左右がバランスして交互に上下する所謂シーソー振動を繰り返す。
【００４１】
即ち図７（Ａ）に示すように、偏芯部８の膨出部が上位にくる回転位相においては、足載せ台３の右側が振幅Ｓの最上位置にまで上昇して、右側を上に傾く。更に回転軸９が９０度回転した偏芯部８の膨出部が右側にくる回転位相においては、図７（Ｂ）に示すように、足載せ台３が水平な基準位置に戻る。更に回転軸９が９０度回転した偏芯部８の膨出部が下位にくる回転位相に進むと、図７（Ｃ）に示すように、足載せ台３の右側が振幅Ｓの最下位置にまで降下して、右側を下に傾く。更に回転軸９が９０度回転して偏芯部８の膨出部が左側にくる回転位相に変化すると、足載せ台３は水平な基準状態に戻る。以下回転軸９の連続回転によって、前記支持軸５を中心として左右が交互に上下動する所謂シーソー振動を繰り返す。
【００４２】
前記のようなシーソー振動の振動数は、前記制御回路によってコントロールされる電気モータＭの回転数によって制御されるが、例えば、６００〜２０００ｒｐｍ程度、好ましくは８００〜１６００ｒｐｍ程度としている。６００ｒｐｍ未満では、使用者に与える振動刺激が過小となるため、ボディシェイプなど健康増進効果が不足する。逆に２０００ｒｐｍを超えると、健康増進のためには過剰に速い振動速度となり、逆に騒音が大きくなるなど使用環境を損ねる。
【００４３】
図２、３に示すように、前記上下運動部６、電気モータＭなどの可動部を囲う略筒状のケーシング４２が基台２の基板２４上に固着され、安全性を確保するとともに外観を高めている。
【００４４】
前記の如く振動健康機器１の足載せ台３は、左右方向の略中央に配された支持軸５によって枢支され、駆動器７によって左右側が交互に上下動するシーソー振動を繰り返すため、足載せ台３に左右の足を載せる使用者の体重が、支持軸５を跨いで左右に振り分けられて支持される。同時に足載せ台３のシーソー振動は、片側が上昇する時は反対側が降下することによって左右の負荷がバランスして、上下方向の慣性力が相殺されることから、装置全体として上下のガタツキ、振動が抑制される。その結果、６００〜２０００ｒｐｍ程度の高速運動時にも比較的騒音を抑制でき、足載せ台３がシーソー状の昇降運動を滑らかに繰り返すことができ、６．０ｍｍを超えるような大きな振幅運動においても、足載せ台の上の使用者は、安全に健康増進のための全身運動を継続することができる。
【００４５】
また略中央の支持軸５に枢支された足載せ台３に載る使用者の体重が、支持軸５を挟んで左右でバランスされ、片側の上昇時の負荷は、反対側の荷重によって相殺できるため、小さな力でシーソー振動を駆動できる。従って、高速サイクルで６．０ｍｍを超える振幅の運動を駆動する場合でも、比較的小さな馬力の駆動器７を用いることができるため、装置全体がコンパクト化できるとともに、運転音が小さくなる。更には運動機構に掛かる負荷が小さくなることから、メカトラブルが減少してメンテナンスも簡単に行なうことができる。
【００４６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００４７】
【図１】本発明の一実施の形態を例示する斜視図である。
【図２】その内部構造を表す正面図である。
【図３】その側面図である。
【図４】その平面図である。
【図５】その動作機構を説明する正面図である。
【図６】連接棒の分解斜視図である。
【図７】（Ａ）〜（Ｃ）は、動作を順番に説明する要部正面図である。
【図８】従来例の駆動部を説明する略図である。
【符号の説明】
【００４８】
１      振動健康機器
２      基台
３      足載せ台
４      駆動手段
５      支持軸
６      上下運動部
７      駆動器
８      偏芯部
９      回転軸
１０      連接棒
１１      軸受け
１２      小端孔
１３      受け軸
１４      ハウジング本体
１５      小リング部
１６      環状部
１７      鍔部
Ｈ      軸受けハウジング
Ｈ１      第１の軸受けハウジング部材
Ｈ２      第２の軸受けハウジング部材
Ｍ      電気モータ
【図１】
2008029712.tif 000003
【図２】
2008029712.tif 000004
【図３】
2008029712.tif 000005
【図４】
2008029712.tif 000006
【図５】
2008029712.tif 000007
【図６】
2008029712.tif 000008
【図７】
2008029712.tif 000009
【図８】
2008029712.tif 000010